【手続補正書】
【提出日】平成16年4月14日(2004.4.14)
【手続補正１】
【補正対象書類名】特許請求の範囲
【補正対象項目名】全文
【補正方法】変更
【補正の内容】
【特許請求の範囲】
【請求項１】
ＯＦＤＭ変調を用いる１対多ポイントシステムにおける複数ユーザーの下流における同期の方法であり、ヘッドエンドと種々のユーザの間での電気ネットワークを介しての双方向通信に適用可能であり、複数のＯＦＤＭシンボルにおいて循環的接頭部を追加または抽出する手段を備え、前記の装置の送信と受信とディジタルバンド変換のシステムにおいてインターポレータとデシメータを備え、ヘッドエンドから前記の複数のユーザへの下流チャンネルを介して送られる情報におけるシーケンスを送信して、受信において、周波数と時間の同期をとる方法であって、
ヘッドエンド装置から下流チャンネルによりすべてのユーザの装置へ周期的に送信される２つの同一のシンボルを用いて同期シーケンスを生成し、
すべてのユーザの装置では、受け取った前記の同期シーケンスを検出して、ユーザの装置に含まれるアナログ／ディジタル変換器におけるサンプル周波数を、周波数を同期して、推定して訂正するか、または、ディジタル信号の再サンプルを行い、同時に、時間を同期して、各ＯＦＤＭシンボルが開始する時刻を推定する、方法。
【請求項２】
請求項１に記載された方法であって、
受け取った２つのシンボルのサンプルの相関最大値の計算から時間の同期が始まるように、最も類似しているという基準を用いることによりシーケンスの検出を行い、この最大値は、相関ピークの平らなゾーンの中点であり、その大きさを、サンプルの数で表すと、シンボルの間の干渉がないときの循環的接頭部のサンプルの数に等しく、相関最大値が決定される時刻における相関の角度を計算することにより周波数同期を実行する、方法。
【請求項３】
請求項２に記載された方法であって、
前記の相関最大値が、パワーと定数Ｃとの積に対応するしきい値を超える相関ピークを検出することにより計算され、この最大値は、相関ピークの平らなゾーンの中点であり、その大きさを、サンプルの数で表すと、シンボル（複数）の間の干渉がないときの循環的 接頭部のサンプルの数に等しく、定数Ｃの値は、誤った警告を発生する確率を最小にするように固定され、前記の相関は、以下の式
【数１】
2004533768.tif 000001
を用いて計算され、前記のパワーは、以下の式
【数２】
2004533768.tif 000002
により計算され、ここで、γ(ｍ)はサンプルの時刻ｍでの相関であり、ξ(ｍ)はサンプルの時刻ｍでのパワーであり、ｒ(ｋ)は、時刻ｋに受け取られたサンプルであり、ｒ＊(k+n)は時刻ｋ＋ｎに受信されたサンプルの複素共役であり、ｎ＝Ｎ＋Ｌであり、ｌ＝Ｎであり、ここで、Ｎはシーケンスにおける１つのシンボルにおけるサンプルの数であり、ｌは、循環的接頭部のサンプルの数である、方法。
【請求項４】
請求項２または３に記載された方法であって、
サンプルと、好ましくはさらに現在のサンプルとＮサンプル前に到達したサンプルの複素共役との部分積とを記憶し、
以下の式
Ｐ(d)＝Ｐ(d-1)＋(rdr＊d-(N+L))-(ｒｄ−Nr*d-(N+L)-N)
Ｒ(ｄ)＝Ｒ(ｄ−１)＋|ｒｄ|２−|ｒｄ−Ｎ|２
を用いて相関とパワーの計算を反復して行い、ここで、Ｐ(d)は相関であり、Ｒ(d)はパワーであり、ｒｄは、現在のサンプルであり、ｒｄ−NはＮサンプル前に到達したサンプルであり、ｒ＊ｄ−（Ｎ＋Ｌ）は、Ｎ＋Ｌサンプル前に受信されたサンプルの複素共役であり、ｒ＊ｄ−（Ｎ＋Ｌ）−Ｎは、２Ｎ＋Ｌサンプル前に受信されたサンプルの複素共役である、方法。
【請求項５】
請求項３に記載された方法であって、
周波数誤差が予め決められたしきい値より小さくなると、前記の相関の実数部のみを使用して計算を単純化することを特徴とする方法。
【請求項６】
請求項３〜５のいずれかに記載された方法であって、
Ｃを、パワーとＣの積がしきい値として使用できるように前記のパワーと乗算される因子とするとき、前記のシーケンスの検出は、誤った警告の確率を最小にするため前記の相関値をパワー値とＣの積と比較することにより実行され、｜γ｜＞Ｃξの条件が与えられたとき、前記のシーケンスとそのサンプルのための最適な時刻が探索される、方法。
【請求項７】
請求項１に記載された方法であって、
前記の２つの同一のシンボルが、固定された情報と擬似的にランダムな情報のいずれかからなることを特徴とする方法。
【請求項８】
請求項１〜６のいずれかに記載された方法であって、
サンプル周波数の同期と時間の同期は、１つのデータ取得ステージと第２のステージとからなり、データ取得ステージは、決まった数のシーケンスの探索、粗い周波数誤差訂正、及び、両方の同期のための第２ステージへの移動からなる、方法。
【請求項９】
請求項８に記載された方法であって、
時間同期のためのデータ取得ステージは、予め決められた数のシンボルまたはシーケンスを備える１つのシーケンスの、位置または時刻での、検出のための待ちステージを設けて、第２ステージに移る前に誤った警報によるデータ取得の確率を減らす、方法。
【請求項１０】
請求項８または９に記載された方法であって、
前記の時間のデータ取得ステージに続いて、第２ステージがあり、この第２ステージでは、下流チャンネルによりユーザに送られたシーケンスを検出し、受信されなかったシーケンスの数を数えつづけ、ある決められた限界を超えると、時間データ取得ステージに戻る、方法。
【請求項１１】
請求項８または１０に記載された方法であって、
時間ステージにおいて、ＯＦＤＭシンボルの開始をマークする時刻の変更が、新しいシーケンスが到着するたびに起こり、この変更は、ユーザにより予測される時間ドメインから周波数ドメインへの変換において適用される１グループのサンプルの変動により実行され、これにより、等化により訂正される、復調された信号点配置における位相の変化すなわち回転を生じ、そして、等化シーケンスが、好ましくは同期シーケンスの後で送信される、方法。
【請求項１２】
請求項８に記載された方法であって、
アナログ／デジタル変換器におけるサンプル周波数を生成するために使用される発振器が十分に正確である場合、前記の周波数データ取得ステージが抑えられる、方法。
【請求項１３】
請求項８に記載された方法であって、
前記の周波数データ取得ステージが、時間データ取得ステージの後で起こり、このステージは、この計量の最大の時刻における相関角度から始まるサンプル周波数の誤差の推定を含み、この推定は、以下の式
【数３】
2004533768.tif 000003
を用いて、この計量の最大値の平らなゾーンの中心に位置される時刻を用い、この式において、Ｍは、インタポレータとデシメータの補間因子であり、ｆｃはキャリア周波数であり、ｆｓはサンプル周波数であり、Δｆｓはサンプル周波数の誤差であり、
前記の周波数同期データ取得ステージは、さらに、周波数訂正素子を用いてこの誤差を補償する補償ステージを備え、この補償ステージは、選択的に電圧により制御される発振器または再サンプル素子とそれに接続されるフィルタからなり、前記の式から始めて、虚数部と実数部の比のアークタンジェントを計算して、前記の式によりΔｆｓを求め、これらのステップが、サンプル周波数の誤差の推定があるしきい値より小さくなるまで反復される、方法。
【請求項１４】
請求項８または１３に記載された方法であって、
前記の周波数ステージは、信号点配置の回転速度が受信された各キャリアにおいて計算されている周波数ドメインにおいて各キャリアにおける信号点配置の回転を補償する回転素子により受け取られる信号を乗算することを含む、方法。
【請求項１５】
請求項１４に記載された方法であって、
受け取られた各キャリアにおける信号点配置の回転速度を計算するため、下流チャンネルでの送信の間にグリッドが送られ、これは、グリッドキャリアが情報を送るために使用されるとき、ヘッドオン装置に、位置が時間とともに変化するグリッドキャリアとして知られるキャリアにおいて、固定された変調、好ましくは低い信号対雑音比の変調、を使用させて、
ユーザが、グリッドキャリアの位置を知り、そのユーザがグリッドキャリアにより送られる情報の宛先であるか否かにかかわらず、これら２つにより使用される変調を知って、これらのキャリアにおけるライン特性モニタの処理を行い、ここに、ユーザは、それらのキャリアにおける変調された情報を、前もって知らない、方法。
【請求項１６】
請求項１５に記載された方法であって、
最高周波数でキャリアにおける最大の回転から始まる前記のグリッドのための最大期間が、オーバーフローが生じないように固定されていて、シンボルの数で表わしたグリッドの期間、すなわち、１つの決められたキャリアの中の角度の２つの連続的測定の間のシンボルの最大数がＮＴであり、そのグリッドは、すべてのキャリアがＮＴシンボルの間にそのグリッドに属するように、かつ、
【数４】
2004533768.tif 000004
すなわち、各シンボルの中のグリッドに属するキャリアの数のＮＴシンボルの間の総和がそのシステムにおける全てのキャリアの数に等しいように、そのシステムのＮキャリアにわたって分布され、前記の式において、Ｎｉは、シンボルｉの中のグリッドに属するキャリアの数であって、ＮＴシンボルに続いて、得られる各キャリアにおける回転速度の新しい測定値が得られる、方法。
【請求項１７】
請求項１５または１６に記載された方法であって、
受信において回転速度を計算するため、ユーザは、ヘッドオン装置により送られる情報の宛先であるか否かにかかわらず、グリッドキャリアにより使用される復調を前もって知ってグリッドキャリアにより送られる情報を復調し、通信される信号点配置に関する回転角度を計算して、それらの角度を同じキャリアについての以前の計算結果と比較して２つ角度推定値の間の時間で除算することにより、これらのキャリアの回転速度を計算する、方法。
【請求項１８】
請求項１５または１７に記載された方法であって、
前記の追加ステージにおいて、周波数誤差を、１つのシンボルにおける各々のキャリアの信号点配置の回転角の平均値を測定することにより求め、この誤差を、周波数訂正素子により訂正し、ここで、この平均値が相関角に等しい、方法。